(57)【要約】【課題】  簡易な構成によってオートプリセットを実行したことを認識可能なテレビジョンの提供を課題とする。【解決手段】  チャンネル情報テーブルＴ１において無効化されたチャンネルを検索することにより、オートプリセットが実行されていないことを判定する。チャンネル情報テーブルＴ１において無効化のフラグを検出すればよいため、簡単にオートプリセットが実行されていないことを判定することができる。また、無効化のフラグはオートプリセットを実行すれば必然的に添付されるものであるため、オートプリセットの処理自体を変更する必要がない。さらに、チャンネル情報テーブルＴ１も、オートプリセットが実行されていないことを判定するために新たなデータを書き加えなくても済む。【選択図】  図３
2007005920.tif 000002
【特許請求の範囲】
【請求項１】
チャンネルと当該チャンネルのテレビ電波が搬送される搬送周波数との対応関係が規定されたチャンネル情報と、上記チャンネル情報を参照することにより指定された上記チャンネルに対応する上記搬送周波数を特定し、そのテレビ電波を受信する選局手段とを具備するテレビジョンにおいて、
上記選局手段において受信する上記テレビ電波の上記搬送周波数をシフトさせつつ、上記チャンネル情報に記憶された全チャンネルについて受信可否を判定するオートプリセット手段と、
上記オートプリセット手段において受信不可と判定された上記チャンネルについて、上記選局手段が選択しないように上記チャンネル情報において無効化する無効化手段と、
上記チャンネル情報において無効化された上記チャンネルが１つでも検索されたとき、上記オートプリセット手段による受信可否の判定が未実行であると判定する判定手段と、
上記判定手段にて上記オートプリセット手段による受信可否の判定が未実行であると判定されたとき警告画面を出力する警告手段と、
上記警告画面にて上記オートプリセット手段による受信可否の判定を実行するためのガイダンスを表示するガイダンス表示手段と、
上記テレビジョンに付属する操作マニュアルにおける上記オートプリセット手段による受信可否の判定を実行するための操作手順が記述された箇所を指し示す表示を上記ガイダンスにて行う指示手段と、
無信号の上記チャンネルが選局されているとき、上記オートプリセット手段による受信可否の判定が未実行であるか否かによって異なる無信号画面を出力する無信号表示手段とを具備することを特徴とするテレビジョン。
【請求項２】
チャンネルと当該チャンネルのテレビ電波が搬送される搬送周波数との対応関係が規定されたチャンネル情報と、上記チャンネル情報を参照することにより指定された上記チャンネルに対応する上記搬送周波数を特定し、そのテレビ電波を受信する選局手段とを具備するテレビジョンにおいて、
上記選局手段において受信する上記テレビ電波の上記搬送周波数をシフトさせつつ、上記チャンネル情報に記憶された全チャンネルについて受信可否を判定するオートプリセット手段と、
上記オートプリセット手段において受信不可と判定された上記チャンネルについて、上記選局手段が選択しないように上記チャンネル情報において無効化する無効化手段と、
上記チャンネル情報において無効化された上記チャンネルが１つでも検索されたとき、上記オートプリセット手段による受信可否の判定が未実行であると判定する判定手段とを具備することを特徴とするテレビジョン。
【請求項３】
上記判定手段にて上記オートプリセット手段による受信可否の判定が未実行であると判定されたとき警告画面を出力する警告手段を具備することを特徴とする請求項２に記載のテレビジョン。
【請求項４】
上記警告画面にて上記オートプリセット手段による受信可否の判定を実行するためのガイダンスを表示するガイダンス表示手段を具備することを特徴とする請求項３に記載のテレビジョン。
【請求項５】
上記テレビジョンに付属する操作マニュアルにおける上記オートプリセット手段による受信可否の判定を実行するための操作手順が記述された箇所を指し示す表示を上記ガイダンスにて行う指示手段を具備することを特徴とする請求項４に記載のテレビジョン。
【請求項６】
無信号の上記チャンネルが選局されているとき、上記オートプリセット手段による受信可否の判定が未実行であるか否かによって異なる無信号画面を出力する無信号表示手段を具備することを特徴とする請求項５に記載のテレビジョン。
【発明の詳細な説明】
【技術分野】
【０００１】
本発明はテレビジョンに関し、特に受信するチャンネルに対応した搬送周波数のテレビ電波を選択する選局手段を具備するテレビジョンに関する。
【背景技術】
【０００２】
従来、この種のテレビジョンとして、オートプリセットを実行したときにオートプリセット日時をメモリに記憶させるものが知られている（例えば、特許文献１参照）。
かかる構成によれば、オートプリセットを行った日時とともに、オートプリセットを行った事実を知ることが可能であった。従って、オートプリセットを一度も実行させていなかったり、最後にオートプリセットを行ってから長期間経過している場合に、オートプリセットを行わせることが可能であった。
【特許文献１】特開２００４−１６５８６１号公報
【発明の開示】
【発明が解決しようとする課題】
【０００３】
しかしながら、上述したテレビジョンにおいて、各チャンネルについてオートプリセットの日時を記憶しなければならないため、チャンネル情報を記憶するメモリの容量が多く必要となるという課題があった。また、オートプリセットを行うごとに、日時を特定し、その日時を記憶する処理が必要となるため、処理が複雑化するという課題もあった。
本発明は、上記課題にかんがみてなされたもので、簡易な構成によってオートプリセットを実行したことを認識可能なテレビジョンの提供を目的とする。
【課題を解決するための手段】
【０００４】
上記目的を達成するために、請求項２にかかる発明では、チャンネルと当該チャンネルのテレビ電波が搬送される搬送周波数との対応関係が規定されたチャンネル情報と、上記チャンネル情報を参照することにより指定された上記チャンネルに対応する上記搬送周波数を特定し、そのテレビ電波を受信する選局手段とを具備するテレビジョンにおいて、
上記選局手段において受信する上記テレビ電波の上記搬送周波数をシフトさせつつ、上記チャンネル情報に記憶された全チャンネルについて受信可否を判定するオートプリセット手段と、
上記オートプリセット手段において受信不可と判定された上記チャンネルについて、上記選局手段が選択しないように上記チャンネル情報において無効化する無効化手段と、
上記チャンネル情報において無効化された上記チャンネルが１つでも検索されたとき、上記オートプリセット手段による受信可否の判定が未実行であると判定する判定手段とを具備する構成としてある。
【０００５】
上記のように構成した請求項２において、選局手段が受信するチャンネルに対応した搬送周波数のテレビ電波を選択することにより、所望のチャンネルを受信することができる。選局手段が受信するチャンネルに対応した搬送周波数のテレビ電波を選択するにあたっては、チャンネルと当該チャンネルのテレビ電波が搬送される搬送周波数との対応関係が規定されたチャンネル情報を参照する。
【０００６】
オートプリセット手段は、上記選局手段において受信する上記テレビ電波の上記搬送周波数をシフトさせつつ、上記チャンネル情報に記憶された全チャンネルについて受信可否を判定する。例えば、上記テレビ電波を受信しようとしたときの、同期信号検出の有無やＡＦＴ電圧等に基づいて各チャンネルについて受信可否を判定することができる。そして、
無効化手段は、上記オートプリセット手段において受信不可と判定された上記チャンネルについて上記選局手段が選択しないように上記チャンネル情報において無効化する処理を行う。これにより、受信することができない上記チャンネルについては以降、選局できないようにすることができる。
【０００７】
判定手段は、上記チャンネル情報において無効化された上記チャンネルを検索する。そして、無効化された上記チャンネルが１つでも検出された場合には、上記オートプリセット手段による受信可否の判定が未実行であると判定する。
【０００８】
また、請求項３にかかる発明では、上記判定手段にて上記オートプリセット手段による受信可否の判定が未実行であると判定されたとき警告画面を出力する警告手段を具備する構成としてある。
上記のように構成した請求項３の発明において、警告手段は、上記判定手段にて上記オートプリセット手段による受信可否の判定が未実行であると判定されたとき警告画面を出力するため、使用者にオートプリセットが実行されていないことを警告することができる。
【０００９】
また、請求項４にかかる発明では、上記警告画面にて上記オートプリセット手段による受信可否の判定を実行するためのガイダンスを表示するガイダンス表示手段を具備する構成としてある。
上記のように構成した請求項４の発明において、ガイダンス表示手段が上記警告画面にて上記オートプリセット手段による受信可否の判定を実行するためのガイダンスを表示するため、使用者は上記オートプリセット手段による受信可否判定の実行を容易に行うことができる。
【００１０】
さらに、請求項５にかかる発明では、上記テレビジョンに付属する操作マニュアルにおける上記オートプリセット手段による受信可否の判定を実行するための操作手順が記述された箇所を指し示す表示を上記ガイダンスにて行う指示手段を具備する構成としてある。
上記のように構成した請求項５の発明において、上記テレビジョンには、紙や光ディスク等の記憶媒体に記録された操作マニュアルが添付される。そして、指示手段は、上記操作マニュアルにおいて上記オートプリセット手段による受信可否の判定を実行するための操作手順が記述された箇所を指し示す表示を行う。
【００１１】
また、請求項６にかかる発明では、無信号の上記チャンネルが選局されているとき、上記オートプリセット手段による受信可否の判定が未実行であるか否かによって異なる無信号画面を出力する無信号表示手段を具備する構成としてある。
上記のように構成した請求項６の発明において、無信号表示手段は、無信号の上記チャンネルが選局されている際にブルーバック等の無信号画面を表示するにあたり、上記オートプリセット手段による受信可否の判定が未実行であるか否かによって異なる無信号画面を出力する。
【００１２】
以上の構成を踏まえたうえで、請求項１の発明は、チャンネルと当該チャンネルのテレビ電波が搬送される搬送周波数との対応関係が規定されたチャンネル情報と、上記チャンネル情報を参照することにより指定された上記チャンネルに対応する上記搬送周波数を特定し、そのテレビ電波を受信する選局手段とを具備するテレビジョンにおいて、
上記選局手段において受信する上記テレビ電波の上記搬送周波数をシフトさせつつ、上記チャンネル情報に記憶された全チャンネルについて受信可否を判定するオートプリセット手段と、上記オートプリセット手段において受信不可と判定された上記チャンネルについて、上記選局手段が選択しないように上記チャンネル情報において無効化する無効化手段と、上記チャンネル情報において無効化された上記チャンネルが１つでも検索されたとき、上記オートプリセット手段による受信可否の判定が未実行であると判定する判定手段と、上記判定手段にて上記オートプリセット手段による受信可否の判定が未実行であると判定されたとき警告画面を出力する警告手段と、上記警告画面にて上記オートプリセット手段による受信可否の判定を実行するためのガイダンスを表示するガイダンス表示手段と、上記テレビジョンに付属する操作マニュアルにおける上記オートプリセット手段による受信可否の判定を実行するための操作手順が記述された箇所を指し示す表示を上記ガイダンスにて行う指示手段と、無信号の上記チャンネルが選局されているとき、上記オートプリセット手段による受信可否の判定が未実行であるか否かによって異なる無信号画面を出力する無信号表示手段とを具備する構成としてある。
【００１３】
このような、より具体的な構成において上述した請求項２〜請求項６の各発明と同様の作用を奏することはいうまでもない。
【発明の効果】
【００１４】
以上説明したように請求項１および請求項２の発明によれば、簡易な構成によってオートプリセットを実行したことを認識可能なテレビジョンを提供することができる。
請求項３の発明によれば、オートプリセットの実行を使用者に促すことができる。
請求項４の発明によれば、使用者がオートプリセットを容易に行うことができる。
請求項５の発明によれば、より詳細な操作手順を使用者に伝達することができる。
請求項６の発明によれば、オートプリセットを行っていないことにより無信号のチャンネルが選択されたことを認識することができる。
【発明を実施するための最良の形態】
【００１５】
ここでは、下記の順序に従って本発明の実施形態について説明する。
（１）テレビジョンの構成：
（２）オートプリセット動作：
（３）オートプリセット実行判定：
（４）無信号時の動作：
（５）まとめ：
【００１６】
（１）テレビジョンの構成：
図１は、本発明の一実施形態にかかるテレビジョンを概略ブロック図により示している。なお、同図においては図の簡略化のため映像信号の処理系統のみを示すものとする。テレビジョン１０は、チューナ１１とＳＡＷ(Surface Acoustic Wave)フィルタ１２と中間周波増幅回路１３と映像検波回路１４と映像信号処理回路１５とＡＧＣ回路１６とＡＦＴ回路１７とＥＥＰＲＯＭ１８とマイコン１９とから構成されている。また、テレビジョン１０にはアンテナ端子１０ａを介してアンテナ３０が接続されており、同アンテナ３０にて受信した地上波テレビ電波がチューナ１１に入力される。なお、図示しないがアンテナ端子１０ａにはＣＡＴＶのケーブルも接続することが可能となっている。チューナ１１は、テレビ電波が搬送された搬送周波数をチャンネルごとに選択し、局部発信回路にて中間周波信号を生成する。このチューナ１１は、いわゆるＰＬＬシンセサイザ方式の選局方式を採用しており、各種の固定分周器や可変分周器の分周比を選択することによって受信可能な周波数を制御することが可能であり、かかる周波数制御はマイコン１９から送出される制御信号に従って行われる。
【００１７】
マイコン１９は、バス１９ｄによって接続されたＣＰＵ１９ａとＲＯＭ１９ｂとＲＡＭ１９ｃとから構成されており、バス１９ｄにはＡ／Ｄポート１９ｅが接続されている。ＣＰＵ１９ａはＲＯＭ１９ｂに記憶された制御プログラムを読み出して、ＲＡＭ１９ｃをワークエリアとして利用しながら同制御プログラムに準じた処理を実行させる。また、ＲＯＭ１９ｂには、ＣＲＴにて警告画面を表示させるための警告画面データ１９ｂ１が記憶されている。Ａ／Ｄポート１９ｅにはＡＦＴ電圧が入力されている。ＡＦＴ電圧は所定の範囲で推移する直流電圧であるが、Ａ／Ｄポート１９ｅを介することにより、同直流電圧の電圧値に応じたデジタル信号に変換される。
【００１８】
マイコン１９の外部にはＥＥＰＲＯＭ１８が接続されており、同ＥＥＰＲＯＭ１８にはチャンネル情報テーブルＴ１が記憶されている。図２は、チャンネル情報テーブルＴ１に記述される内容を示している。同図において、各チャンネル番号に対応するテレビ電波が搬送される搬送周波数が記憶されている。各チャンネルに対応して放送局名等のチャンネル情報も記憶してもよい。マイコン１９は、操作パネルやリモコンの操作によってチャンネルの指定を受け付けると、同指定されたチャンネルに対応した搬送周波数をチャンネル情報テーブルＴ１から特定し、同特定した搬送周波数をチューナ１１に設定する制御信号を出力する。ただし、電波状況によって全てのチャンネルを受信できないのが通常であるため、後述するオートプリセットを実行したときに、受信不可能なチャンネルについてはチャンネル情報テーブルＴ１にて無効化される。具体的には、図２に示すように各チャンネルに対して受信不可である旨のフラグを添付することにより、当該フラグが添付されたチャンネルを無効化させる。
【００１９】
このようにすることにより、受信可能であるチャンネルに限り、指定されたチャンネルのテレビ電波をチューナ１１にて受信させることができる。なお、チャンネル情報テーブルＴ１に各チャンネルに対応した搬送周波数が記憶されてもよいし、各搬送周波数に対応して設定されるチューナ１１における固定分周器や可変分周器の分周比が記憶されてもよい。いずれにしても、チューナ１１にて受信する搬送周波数とチャンネルの対応関係が規定されることには相違ない。ＥＥＰＲＯＭ１８は書き換え可能であり、チャンネル情報テーブルＴ１を更新記憶することができる。
【００２０】
ＳＡＷ(Surface Acoustic Wave)フィルタ１２は中間周波信号を入力し、同中間周波信号の表面波の周波数帯域を適正化する。チューナ１１が生成した中間周波信号の信号強度は、入力したテレビ電波の状態に応じてチャンネルごとに様々である。そのため、チューナ１１および中間周波増幅回路１３にて信号強度が調整される。チューナ１１において中間周波信号を増幅する際の増幅率はＲＦ−ＡＧＣ電圧に基づいて制御され、中間周波増幅回路１３において中間周波信号を増幅する際の増幅率はＩＦ−ＡＧＣ電圧に基づいて制御される。ＲＦ−ＡＧＣ電圧およびＩＦ−ＡＧＣ電圧はともにＡＧＣ回路１６にて生成されており、ＡＧＣ回路１６には中間周波増幅回路１３および映像検波回路１４を経た複合映像信号が入力されている。
【００２１】
ＡＧＣ回路１６は映像検波回路１４から出力された中間周波信号である複合映像信号を取得し、同複合映像信号に応じたＲＦ−ＡＧＣ電圧およびＩＦ−ＡＧＣ電圧を生成する。具体的には、複合映像信号の信号強度が大きい場合には低いＲＦ−ＡＧＣ電圧およびＩＦ−ＡＧＣ電圧を生成し、複合映像信号の信号強度が小さい場合には高いＲＦ−ＡＧＣ電圧およびＩＦ−ＡＧＣ電圧を生成する。ＲＦ−ＡＧＣ電圧においては、０〜５Ｖとの間で電圧レベルが変動する。ＲＦ−ＡＧＣ電圧はチューナ１１に入力され、同ＲＦ−ＡＧＣ電圧が高いほどチューナ１１における中間周波信号の増幅率が上昇させられる。このように、増幅後の複合映像信号の信号強度に基づくＲＦ−ＡＧＣ電圧によってチューナ１１における中間周波信号の増幅率がフィードバック制御されるため、中間周波信号や複合映像信号の信号強度を理想的な値に収束させることができる。
【００２２】
同様に、ＩＦ−ＡＧＣ電圧は中間周波増幅回路１３に入力され、同ＩＦ−ＡＧＣ電圧が高いほどチューナ１１における中間周波信号の増幅率が上昇させられる。中間周波増幅回路１３においても、増幅後の複合映像信号の信号強度に基づくＩＦ−ＡＧＣ電圧によって中間周波信号の増幅率がフィードバック制御されるため、中間周波信号や複合映像信号の信号強度を理想的な値に収束させることができる。中間周波増幅回路１３から出力された中間周波信号は、映像検波回路１４に入力され、同映像検波回路１４にて複合映像信号が抽出される。
【００２３】
チューナ１１が生成した中間周波信号の周波数は５８．７５ＭＨｚであることが望ましいがテレビ電波の受信状況によって誤差が生じる。そこで、ＡＦＴ回路１７を設け、同ＡＦＴ回路１７にて中間周波増幅回路１３における中間周波信号の周波数に基づくＡＦＴ電圧を作成する。具体的には、中間周波増幅回路１３の中間周波信号から映像搬送波を取り出し、ＦＭ検波回路にて同映像搬送波と基準周波数（５８．７５ＭＨｚ）とのずれに応じた電圧を生成し、同電圧を直流増幅することによりＡＦＴ電圧を生成する。ＡＦＴ電圧が入力されたチューナ１１においては、局部発信回路に同ＡＦＴ電圧を作用させることにより、中間周波信号の周波数を５８．７５ＭＨｚに収束させる。なお、中間周波信号の周波数が低周波側にずれている場合には、高いＡＦＴ電圧が出力され、局部発信回路における発信周波数が上昇する。反対に、中間周波信号の周波数が高周波側にずれている場合には、低いＡＦＴ電圧が出力され、局部発信回路における発信周波数が低下する。
【００２４】
一方、映像検波回路１４から出力された複合映像信号は、映像信号処理回路１５に入力される。複合映像信号は輝度信号と搬送色信号と同期信号とが合成された複合波であるが、映像信号処理回路１５では複合映像信号を上記各信号に分離する処理を行う。特に、映像信号処理回路１５には同期分離回路１５ａが備えられており、同期分離回路１５ａにて垂直同期信号や水平同期信号が抽出される。なお、同期分離回路１５ａにて同期信号が検出された場合には、その旨の同期検出信号がマイコン１９に出力される。
【００２５】
（２）オートプリセット動作：
以上説明した本テレビジョン１０の構成において、オートプリセットが実行される。マイコン１９のＲＯＭ１９には当該処理を実行させるための制御プログラムが記憶されており、ＣＰＵ１９が同制御プログラムに基づいた処理を実行させる。図３は、マイコン１９が実行させるオートプリセットの流れを示している。同図において、ステップＳ１００において登録するチャンネルを選択する。なお、本実施形態においては、ＡＩＲ放送およびＣＡＴＶを含め受信され得る全チャンネルの搬送周波数がデフォルトとして記憶されており、それぞれについて後述する処理を行うことにより、各搬送周波数において受信可能なテレビ電波の存否が検証される。そして、受信可能なテレビ電波が存在すると検証された搬送周波数についてのデータ以外のチャンネルについてはチャンネル情報テーブルＴ１にて無効化させる処理を行う。
【００２６】
ステップＳ１１０では、選択されたチャンネルに対応する搬送周波数をチャンネル情報テーブルＴ１から取得する。そして、マイコン１９が同搬送周波数帯を受信するようにチューナ１１に制御信号を送出する。ステップＳ１２０においては同期分離回路１５ａから入力される同期検出信号に基づいて同期信号が検出されたかどうかが判定される。同期信号が検出されない場合にはステップＳ１２５にて当該チャンネルを無効化するためのフラグを添付する。
【００２７】
そして、ステップＳ１５０において全てのチャンネルについてオートプリセットが完了したかどうかが判定され、全て完了していない場合にはステップＳ１００に戻る。すなわち、先に選択したチャンネルに対応づけられた搬送周波数帯域には受信可能なテレビ電波が存在しないとして、当該チャンネルをチャンネル情報テーブルＴ１にて無効化し、次のチャンネルに対する処理を実行する。なお、初期状態ではチャンネル情報テーブルＴ１におけるどのチャンネルについても無効化するフラグが添付されておらず、全チャンネルが有効とされている。
【００２８】
なお、ステップＳ１２０においては、ステップＳ１１０にて最初に設定した搬送周波数を中心として、搬送周波数を所定の範囲でシフトさせるようにしてもよい。このようにすることにより、多少の搬送周波数を許容することができる。ただし、搬送周波数をシフトさせる回数が増大すると処理に時間が要するため、そのシフト回数を２回程度に制限しておくことが望ましい。
【００２９】
一方、同期信号が検出された場合にはステップＳ１３０において、Ａ／Ｄポート１９ｆを介してデジタル化されたＡＦＴ電圧を取得する。そして、ステップＳ１４０においてはＡＦＴ電圧が所定の範囲の値となっているかどうかを判定する。ＡＦＴ電圧は中間周波信号の周波数のずれを意味するものであるため、ＡＦＴ電圧の値が正常でない場合、受信された信号の周波数が正常ないといえる。従って、ＡＦＴ電圧の値が正常でない場合にはステップＳ１２５にて当該チャンネルを無効化するためのフラグをチャンネル情報テーブルＴ１にて添付する。そして、ステップＳ１５０において全てのチャンネルについてオートプリセットが完了したかどうかが判定され、全て完了していない場合にはステップＳ１００に戻る。すなわち、先に選択したチャンネルに対応づけられた搬送周波数帯域には受信可能なテレビ電波が存在しないとして、当該チャンネルをチャンネル情報テーブルＴ１にて無効化し、次のチャンネルに対する処理を実行する。
【００３０】
例えば、±５０ｋＨｚ以内の周波数のずれとなるようにＡＦＴ電圧の許容範囲を設定すれば、適正なテレビ電波が存否を判定することができる。なお、ＡＦＴ電圧値の変動状態も考慮してＡＦＴ電圧の適正を判定するようにしてもよい。例えば、チューナ１１が受信する搬送周波数を徐々にシフトさせ、これに追従してＡＦＴ電圧が上記の許容範囲内において単調増加または単調減少していればＡＦＴ電圧が適正であると判定するようにしてもよい。
【００３１】
一方、適正なＡＦＴ電圧であった場合には、ステップＳ１５０において全てのチャンネルについて処理が完了したことが確認する。そして、全てのチャンネルについて処理が完了していなければ、ステップＳ１００において次のチャンネルについての処理を実行する。
【００３２】
ステップＳ１４０においてＡＦＴ電圧の値が正常であるということは、同期信号が検出され、かつ、受信されるテレビ電波の周波数も正常であると言えるため、当該チャンネルが受信可能であると判断できる。さらに、ステップＳ１４０にてＡＦＴ電圧の値が正常であると判定された場合には、ステップＳ１２５が実行されないため、当該チャンネルは有効なままチャンネル情報テーブルＴ１に保持されることとなる。すなわち、受信可能と判定されたチャンネルについては有効なチャンネルとしてチャンネル情報テーブルＴ１に記憶されることとなる。
【００３３】
一方、ステップＳ１２０においては同期信号が検出されない場合、および、ステップＳ
１４０においてＡＦＴ電圧が不正である場合には、当該チャンネルが受信不可能であると判断することができる。すなわち、ステップＳ１００〜Ｓ１５０を実行することにより、全チャンネルについて、チューナ１１が受信する搬送周波数をチャンネルごとに順にシフトさせるとともに、その際に受信可否の判定を実行することができる。この意味で、ステップＳ１００〜Ｓ１５０を実行するマイコン１９が本発明のオートプリセット手段に相当する。また、ステップＳ１２５では受信不能なチャンネルについて無効化を行うため、ステップＳ１２５を実行するマイコン１９が本発明の無効化手段に相当する。
【００３４】
以上のようにして、オートプリセットが完了すると、チャンネル情報テーブルＴ１には受信可能なチャンネルのみが有効なまま残存することとなる。従って、マイコン１９の指令に基づいてチューナ１１が選局を行うにあたり、有効なチャンネルのみを対象とすることができる。例えば、チャンネルＵＰやチャンネルＤＯＷＮの操作を行ったとき、無効化されたチャンネルについてはスキップさせることができる。
【００３５】
（３）オートプリセット実行判定：
図４は、オートプリセット実行判定処理の流れを示している。同図における処理は、マイコン１９がＲＯＭ１９ｂに記憶された制御プログラムに基づいて実行される。ステップＳ２００にて電源が投入されると、ステップＳ２１０にてマイコン１９がＥＥＰＲＯＭ１８に記憶されたチャンネル情報テーブルＴ１を取得する。そして、ステップＳ２２０においては取得したチャンネル情報テーブルＴ１において、無効化されたチャンネルを検索する。そして、ステップＳ２２０において無効化されたチャンネルが１つでも検出されたと判定された場合には、ステップＳ２３０にて通常の受信動作を行う。
【００３６】
一方、ステップＳ２２０において無効化されたチャンネルが１つも検出されないと判定された場合には、ステップＳ２４０にて警告表示を行う。具体的には、ＲＯＭ１９ｂに記憶された警告画面データ１９ｂ１を映像信号処理回路１５に出力することにより、ＣＲＴにて警告画面データ１９ｂ１に基づく警告画面を出力する。
【００３７】
図５は、ステップＳ２４０においてＣＲＴが表示する警告画面の一例を示している。同図において、「オートプリセットが行われていなため、選択しても受信できないチャンネルがあります」という表示が行われている。これにより、使用者にオートプリセットが未実行であることを伝達することができる。さらに、「オートプリセットを今すぐ実行する場合には、"オートプリセット実行"を選択して決定ボタンを押してください」という表示が行われている。これにより、使用者にオートプリセットを実行するためのガイダンスを提供することができる。
【００３８】
さらに、「オートプリセットを今すぐ実行しない場合には、"キャンセル"を選択して決定ボタンを押してください」という表示が行われているとともに、「後でオートプリセットを実行するには付属する操作マニュアルの１５〜１６ページを参照してください」という表示が行われている。これにより、オートプリセットを実行したくない使用者に対しては、オートプリセットを回避する余地を残すとともに、後で実行するための手順を使用者に伝達することができる。付属する操作マニュアルにおいてオートプリセットを実行するための操作が記述されたページを指し示すことにより、ガイダンスを簡略化させることができる。
【００３９】
警告画面にてオートプリセットの実行が選択されたことがステップＳ２５０において確認されると、図３に示したステップＳ１００以降のオートプリセットを実行させる。そして、オートプリセットが完了すると、ステップＳ２３０にて通常の受信動作を実行する。一方、警告画面にてオートプリセットの実行がキャンセルされたことがステップＳ２５０において確認されると、そのままステップＳ２３０にて通常の受信動作を実行する。
【００４０】
以上のように、オートプリセットが実行されていないことを電源投入時に検出し、警告を発することにより、使用者がオートプリセットを行わないままテレビジョン１０を使用し続けることが防止できる。チャンネル情報テーブルＴ１において無効化されたチャンネルを検索することにより、オートプリセットが実行されていないことを判定することができる。チャンネル情報テーブルＴ１において無効化のフラグを検出すればよいため、簡単にオートプリセットが実行されていないことを判定することができる。また、無効化のフラグはオートプリセットを実行すれば必然的に添付されるものであるため、オートプリセットの処理自体を変更する必要がない。さらに、チャンネル情報テーブルＴ１も、オートプリセットが実行されていないことを判定するために新たなデータを書き加えなくても済む。従って、チャンネル情報テーブルＴ１を記憶するＥＥＰＲＯＭ１８のメモリ容量を大きくする必要もない。なお、警告画面をＣＲＴにて表示させるマイコン１９が本発明の警告手段とガイダンス表示手段と指示手段に相当する。
【００４１】
（４）無信号時の動作：
次に、無信号時の動作について説明する。同図において、通常のテレビ受信動作が行われており、その際に選択されたチャンネルが無信号であるかどうかがステップＳ３００にて検出される、すなわち、あるチャンネルが選択されておりチューナ１１が当該チャンネルに対応する搬送周波数のテレビ電波を受信しているにもかかわらず、同期信号が同期分離回路１５ａに検出されないことを確認する。
【００４２】
正常なテレビ電波を受信しているのであれば、同期信号が検出されるとともに、正常な映像表示を行うことができる。しかしながら、オートプリセットが実行されておらず、受信不能なチャンネルが依然有効なままチャンネル情報テーブルＴ１に記述されている場合には、受信しても無信号となるチャンネルが選択され得ることとなる。また、オートプリセット時には受信可能であったものの、電波状況の変化やアンテナケーブルの断線等の事後的な要因によって無信号のチャンネルが選択されこともあり得る。
【００４３】
ステップＳ３００において、無信号でないと判定された場合には、正常であるとして処理を中断し、通常のテレビジョン受信を続行する。一方、無信号であると判定された場合には、ステップＳ３１０において無効化されたチャンネルをチャンネル情報テーブルＴ１にて検索する。そして、ステップＳ３２０にて無効化されたチャンネルが１つでも検出された場合には、ステップＳ３３０において全面青色の無信号画面をＣＲＴに出力する。全面青色の無信号画面をＣＲＴにて表示させるための画像データがＲＯＭ１９に無信号画面データ１９ｂ２として記憶されているため、マイコン１９が無信号画面データ１９ｂ２を読み出して映像信号処理回路１５に出力することにより全面青色の無信号画面をＣＲＴにて表示させることができる。
【００４４】
さらに、ステップＳ３２０にて無効化されたチャンネルが１つも検出されない場合には、ステップＳ３４０において全面赤色の無信号画面をＣＲＴに出力する。全面赤色の無信号画面をＣＲＴにて表示させるための画像データもＲＯＭ１９に無信号画面データ１９ｂ２として記憶されているため、マイコン１９が無信号画面データ１９ｂ２を読み出して映像信号処理回路１５に出力することにより全面赤色の無信号画面をＣＲＴにて表示させることができる。
【００４５】
このように、ステップＳ３３０，３４０においてはオートプリセットが行われたか否かによって異なる色の無信号画面をＣＲＴにて表示させている。従って、使用者は、無信号である理由が、オートプリセットを実行させていなかったことにあるのか、オートプリセット後の事後的な要因であるかを認識することができる。むろん、無信号画面においてオートプリセットを実行させるためのガイダンスを表示させるようにしてもよい。なお、オートプリセットが行われたか否かによって異なる色の無信号画面をＣＲＴにて表示させるマイコン１９が本発明の無信号表示手段に相当する。
【００４６】
（５）まとめ：
以上説明したように、チャンネル情報テーブルＴ１において無効化されたチャンネルを検索することにより、オートプリセットが実行されていないことを判定する。チャンネル情報テーブルＴ１において無効化のフラグを検出すればよいため、簡単にオートプリセットが実行されていないことを判定することができる。また、無効化のフラグはオートプリセットを実行すれば必然的に添付されるものであるため、オートプリセットの処理自体を変更する必要がない。さらに、チャンネル情報テーブルＴ１も、オートプリセットが実行されていないことを判定するために新たなデータを書き加えなくても済む。
【図面の簡単な説明】
【００４７】
【図１】テレビジョンのブロック構成図である。
【図２】チャンネル情報テーブルを示す図である。
【図３】オートプリセットの流れを示すフローチャートである。
【図４】オートプリセット実行判定処理の流れを示すフローチャートである。
【図５】警告画面を示す図である。
【図６】無信号時の動作を示すフローチャートである。
【符号の説明】
【００４８】
１０…テレビジョン
１０ａ…アンテナ端子
１１…チューナ
１２…ＳＡＷフィルタ
１３…中間周波増幅回路
１４…映像検波回路
１５…映像信号処理回路
１５ａ…同期分離回路
１６…ＡＧＣ回路
１７…ＡＦＴ回路
１８…ＥＥＰＲＯＭ
１９…マイコン
１９ａ…ＣＰＵ
１９ｂ…ＲＯＭ
１９ｂ１…警告画面データ
１９ｂ２…無信号画面データ
１９ｃ…ＲＡＭ
１９ｅ…Ａ／Ｄポート
３０…アンテナ
Ｔ１…チャンネル情報テーブル
【図１】
2007005920.tif 000003
【図２】
2007005920.tif 000004
【図３】
2007005920.tif 000005
【図４】
2007005920.tif 000006
【図５】
2007005920.tif 000007
【図６】
2007005920.tif 000008